(57)【特許請求の範囲】
【請求項１】
前面側が開放されるとともに、少なくとも背面からの土圧荷重を支持する構造物の耐震補強方法であって、
前記構造物の前面側から、管状補強部材により、前記構造物を水平方向に貫通して先端が背面側の地盤に到達する孔を、前記構造物の幅方向に間隔をおいて複数箇所に削孔し、削孔した各孔内において、前記管状補強部材の内側に、袋体を取り付けた芯材を挿入し、前記管状補強部材を前記孔から引き抜いて、前記管状補強部材の先端を前記構造物の背面側の地盤の所定の位置に配置させ、前記袋体に固化材を加圧注入して、前記袋体を膨張変形させて前記孔の内面に密着させ、前記管状補強部材の内側部分及び前記孔内に固化材を無加圧注入するとともに、前記芯材の頭部を前記構造物の前面側に定着させることを特徴とする構造物の耐震補強方法。
【請求項２】
前記構造物の背面側には、栗石を敷き詰めた裏栗部分が設けられ、前記管状補強部材は、前記構造物及び前記裏栗部分を貫通して、先端が前記裏栗部分よりも背面側の前記地盤内に配置されていることを特徴とする請求項１に記載の構造物の耐震補強方法。
【請求項３】
前記孔は、前記構造物の高さ方向に間隔をおいて複数箇所に削孔されていることを特徴とする請求項１又は２に記載の構造物の耐震補強方法。
【請求項４】
前記芯材は、鉄筋又は鋼管であることを特徴とする請求項１〜３の何れか１項に記載の構造物の耐震補強方法。
【請求項５】
前面側が開放されるとともに、少なくとも背面からの土圧荷重を支持する構造物の耐震補強構造であって、
前記構造物の幅方向に間隔をおいて複数箇所に、前記構造物を前面側から水平方向に貫通して先端が背面側の地盤に到達するように形成された各孔内に、前記構造物と前記構造物の背面側の地盤の所定の位置との間に亘って設けられる管状補強部材と、
前記各管状補強部材の内側に挿入されるとともに、前記各管状補強部材の内側部分及び前記各孔内に無加圧注入された固化材によって前記各孔内に定着される芯材と、
該各芯材の一部に取り付けられるとともに、内部に加圧注入された固化材によって膨張変形して前記各孔の内面に密着される袋体と、
前記各芯材の頭部を前記構造物の前面側に定着させる定着部材とを備えていることを特徴とする構造物の耐震補強構造。
【発明の詳細な説明】
【技術分野】
【０００１】
本発明は、構造物の耐震補強方法及び構造物の耐震補強構造に関し、特に、橋台、擁壁等のように、少なくとも背面側から土圧荷重を受ける構造物に耐震補強を施すのに有効な構造物の耐震補強方法及び構造物の耐震補強構造に関する。
【背景技術】
【０００２】
従来、鉄道、道路等の橋桁の鉛直荷重及び背面土圧荷重を支持する橋台は、それらの荷重を基礎及び杭を介して地盤側に伝達させているが、近年、耐震基準が見直しされたことにより、耐震基準を満たすように耐震補強して耐力を高め、地震による被害を防止する必要が生じている。
【０００３】
橋台の耐震補強方法として、例えば、
（１）図１４に示すように、橋台２５の基礎部分２６間にストラッド２７を突っ張った状態に設けて、橋台２５が水平方向に滑動するのを防止する方法、
（２）図１５に示すように、橋台２５の前面側からグラウンドアンカー２８を斜め下方に打設して、橋台２５が滑動や転倒するのを防止する方法、
（３）図１６に示すように、橋台２５の前面側からネイリング部材２９を水平方向に打設して、橋台２５が滑動や転倒するのを防止する方法、
（４）図１７に示すように、橋台２５の背面側の裏栗部分３０に薬液を注入して固化させ、裏栗部分３０が沈下するのを防止する方法、
（５）特許文献１に記載されているように、橋台の背面側の受台に近接する部分及び受台から離れた部分に栗石等の裏込材を敷き固め、その上部にモルタル、砂等のレベル調整用裏込材を施して路盤工を構成し、この路盤工の上部に、下面に凹陥面が設けられた踏掛板を配置して、踏掛板の両端部を橋台の背面側の受台と受台から離れた部分の裏込材の上部との間で支持し、踏掛板を両端支持梁として機能させることにより、地震等によって裏込材に揺すり込み沈下が生じた場合であっても、踏掛板が埋没するのを防止し、路面に段差が生じるのを防止するように構成した方法
等が提案されている。
【０００４】
図１４に示す方法は、橋台２５を支持する基礎部分２６間をストラッド２７によって突っ張っているので、橋台２５が水平方向に滑動するのを防止するには有効である。
図１５に示す方法は、橋台２５をグラウンドアンカー２８によって地盤３１に支持しているので、橋台２５が滑動や転倒するのを防止するには有効である。
図１６に示す方法は、橋台２５をネイリング部材２９によって地盤３１に支持しているので、橋台２５が滑動や転倒をするのを防止するのには有効である。
図１７に示す方法は、橋台２５の背面側の裏栗部分３０に薬液を注入して固化しているので、裏栗部分３０の揺すり込み沈下を防止するのには有効である。
特許文献１に記載の方法は、橋台の背面側の裏込材に揺すり込み沈下が生じても、その上部の両端支持梁の踏掛板によって路面を支持することができるので、路面に段差が生じるのを防止するのには有効である。
【０００５】
しかし、図１４に示す方法では、橋台２５の転倒を防止することができない。また、図１５に示す方法では、グラウンドアンカー２８を定着させる堅硬な地盤３１が深い場合には、グラウンドアンカー２８が非常に長くなるため、不経済となる。また、図１４、図１５、及び図１６に示す方法は、裏栗部分３０の揺すり込み沈下を防止することができないため、地震によって橋台２５の背面側の地盤３１に段差が生じるのを避けることができず、橋桁を安定した状態で支持し続けることが困難になる。また、図１７に示す方法では、裏栗部分３０の栗石間に薬液が完全に充填されているか否かを確認することが難しく、また、注入した薬液が周囲の地盤３１に流出し、周辺環境に影響を与えるおそれがある。さらに、特許文献１に記載の方法は、裏込材の沈下対策としては有効であるが、橋台の滑動、転倒を防止する効果はない。
【先行技術文献】
【特許文献】
【０００６】
【特許文献１】実開昭６４−４０７号公報
【発明の概要】
【発明が解決しようとする課題】
【０００７】
本発明は、上記のような従来の問題に鑑みなされたものであって、橋台等のように、少なくとも背面側からの土圧荷重を支持する構造物の地震時における滑動、転倒に対する耐力を向上させながら、構造物の背面側の地盤（例えば、裏栗部分）の揺すり込み沈下を確実に防止することができる構造物の耐震補強方法及び構造物の耐震補強構造を提供することを目的とする。
【課題を解決するための手段】
【０００８】
上記のような課題を解決するために、本発明は、以下のような手段を採用している。
すなわち、本発明は、前面側が開放されるとともに、少なくとも背面からの土圧荷重を支持する構造物の耐震補強方法であって、前記構造物の前面側から、管状補強部材により、前記構造物を水平方向に貫通して先端が背面側の地盤に到達する孔を、前記構造物の幅方向に間隔をおいて複数箇所に削孔し、削孔した各孔内において、前記管状補強部材の内側に、袋体を取り付けた芯材を挿入し、前記管状補強部材を前記孔から引き抜いて、前記管状補強部材の先端を前記構造物の背面側の地盤の所定の位置に配置させ、前記袋体に固化材を加圧注入して、前記袋体を膨張変形させて前記孔の内面に密着させ、前記管状補強部材の内側部分及び前記孔内に固化材を無加圧注入するとともに、前記芯材の頭部を前記構造物の前面側に定着させることを特徴とする。
【０００９】
本発明の構造物の耐震補強方法によれば、構造物と構造物の背面側の地盤の所定の位置との間に、固化材を注入することによって曲げ剛性及びせん断剛性を高めた管状補強部材を水平に配置し、この管状補強部材によって構造物の背面側の地盤の沈下を防止することができる。従って、構造物の背面側の地盤に地震による揺すり込み沈下が生じるのを防止でき、その部分に段差が生じるのを防止できる。
また、管状補強部材の内側に芯材を挿入し、この芯材の先端に取り付けた袋体の内部に固化材を加圧注入して膨張変形させ、袋体をボーリング孔の内面に密着させることにより、芯材を構造物の背面側の地盤に定着させているので、地震による構造物の転倒及び滑動を防止することができる。
さらに、削孔で使用した管状補強部材の一部を地盤の沈下を防止する部材として利用するとともに、管状補強部材の不用部分を引き抜くことで、その部分を再利用することができるので、経済性を高めることができる。
【００１０】
また、本発明において、前記構造物の背面側には、栗石を敷き詰めた裏栗部分が設けられ、前記管状補強部材は、前記構造物及び前記裏栗部分を貫通して、先端が前記裏栗部分よりも背面側の前記地盤内に配置されていることとしてもよい。
このように構成すれば、構造物の背面側の裏栗部分の地震による揺すり込み沈下を防止できるので、裏栗部分の上部の地盤に段差が生じるのを防止できる。
【００１１】
また、本発明において、前記孔は、前記構造物の高さ方向に間隔をおいて複数箇所に削孔されていることとしてもよい。
このように構成すれば、構造物の幅方向だけでなく、高さ方向に削孔した各孔内にも管状補強部材及び芯材を配置することができるので、構造物の背面側に裏栗部分が設けられている場合には、管状補強部材及び芯材を複数段に配置することで、管状補強部材１本当たりが支持する地盤の厚さを小さくすることができるので、裏栗部分の沈下量を小さくすることができる。
【００１２】
さらに、本発明において、前記芯材は、鉄筋又は鋼管であることとしてもよい。
このように構成すれば、芯材として入手が容易な材料（鉄筋又は鋼管）を使用することができるので、材料の調達が容易であり、経済的な施工が可能である。
【００１３】
さらに、本発明は、前面側が開放されるとともに、少なくとも背面からの土圧荷重を支持する構造物の耐震補強構造であって、前記構造物の幅方向に間隔をおいて複数箇所に、前記構造物を前面側から水平方向に貫通して先端が背面側の地盤に到達するように形成された各孔内に、前記構造物と前記構造物の背面側の地盤の所定の位置との間に亘って設けられる管状補強部材と、前記各管状補強部材の内側に挿入されるとともに、前記各管状補強部材の内側部分及び前記各孔内に無加圧注入された固化材によって前記各孔内に定着される芯材と、該各芯材の一部に取り付けられるとともに、内部に加圧注入された固化材によって膨張変形して前記各孔の内面に密着される袋体と、前記各芯材の頭部を前記構造物の前面側に定着させる定着部材とを備えていることを特徴とする。
【発明の効果】
【００１４】
以上、説明したように、前面側が開放され、少なくとも背面からの土圧荷重を支持する構造物に対して本発明の構造物の耐震補強方法により耐震補強を施工すれば、地震時における構造物の転倒、滑動に対する耐力を向上させながら、構造物の背面側の地盤（例えば、裏栗部分）の揺すり込み沈下を確実に防止することができる。
従って、例えば、道路、鉄道等の橋桁を支持する橋台に適用した場合には、地震によって構造物が被害を受けた場合であっても、段差等の生じない一つの連続した面を確保することができるので、大地震直後にも道路や鉄道等を緊急車両等の通行に支障をきたさないような状態に維持し続けることができる橋台を提供することができる。
【図面の簡単な説明】
【００１５】
【図１】本発明による構造物の耐震補強方法の一実施の形態を示した断面図であって、二重管削孔装置により孔を削孔し、鋼管の先端を裏栗部分の背面側の地盤に到達させた状態を示した断面図である。
【図２】鋼管の内側にネイリング部材を挿入した状態を示した断面図である。
【図３】鋼管を引き抜く途中の過程を示した断面図である。
【図４】鋼管の先端を裏栗部分と地盤との境界に位置させ、ネイリング部材の袋体にグラウトを加圧注入して、袋体を膨張変形させた状態を示した断面図である。
【図５】鋼管の内側及び削孔した孔内にグラウトを無加圧注入した状態を示した断面図である。
【図６】ネイリング部材の芯材の頭部を橋台の前面側に定着させた状態を示した断面図である。
【図７】構造物の全体に複数の孔を削孔し、各孔内にネイリング部材及び鋼管を設けた状態を示した断面図である。
【図８】図６のＡ部の拡大図である。
【図９】図７のＢ−Ｂ線断面図である。
【図１０】図６のＣ部の拡大図である。
【図１１】図６の芯材の定着部の拡大図である。
【図１２】芯材の定着部の変形例を示した拡大図である。
【図１３】本発明による構造物の耐震補強方法の他の実施の形態を示した断面図であって、図６のＣ部に対応する部分の拡大図である。
【図１４】従来の耐震補強方法の一例を示した断面図である。
【図１５】従来の耐震補強方法の他の例を示した断面図である。
【図１６】従来の耐震補強方法の他の例を示した断面図である。
【図１７】従来の耐震補強方法の他の例を示した断面図である。
【発明を実施するための形態】
【００１６】
以下、図面を参照しながら本発明の実施の形態について説明する。
図１〜図７には、本発明による構造物の耐震補強方法の一実施の形態が示されている。
本実施の形態では、道路や鉄道等の橋桁２２等の鉛直荷重、背面側からの土圧荷重を支持し、それらの荷重を基礎４及び杭５を介して地盤７側に伝達させる構造物である橋台１に耐震補強を施す際に、本発明の構造物の耐震補強方法を適用している。
【００１７】
なお、以下の説明においては、地盤７のうち、地山を基礎地盤７ａとし、埋め戻した部分を盛土体７ｂとしている。
また、本実施の形態においては、本発明による構造物の耐震補強方法を橋台１に適用している。但し、図示はしないが、背面側からの土圧荷重を支持する擁壁を構造物とし、この擁壁に本発明による構造物の耐震補強方法を適用してもよい。
【００１８】
本実施の形態の構造物の耐震補強方法は、図１〜図７に示すように、管状補強部材１０及びネイリング部材１１を用い、管状補強部材１０により橋台１の背面３側の栗石を敷き詰めた裏栗部分６の揺すり込み沈下を防止し、ネイリング部材１１によって橋台１の滑動及び転倒を防止するように構成したものである。
【００１９】
具体的には、二重管削孔装置を用い、図１に示すように、二重管削孔装置から管状補強部材としての鋼管１０を繰り出し、必要に応じて複数本の鋼管１０を連結しながら、鋼管１０の先端の削孔ビット（図示せず）により、橋台１の前面２側から、橋台１及び橋台１の背面３側の盛土体７ｂの裏栗部分６を水平方向に貫通し、先端が裏栗部分６の背面側の基礎地盤７ａの所定の位置に到達する孔８を削孔する。
【００２０】
次に、図２に示すように、ボーリング孔８内において、鋼管１０の内側から削孔ビットを引き抜く。そして、鉄筋からなる芯材１２の一部に袋体１３を取り付け、袋体１３に注入ホース１５を接続して構成したネイリング部材１１（図１０参照）を鋼管１０の内側に挿入し、ネイリング部材１１の芯材１２の先端をボーリング孔８の先端に到達させることにより、袋体１３をボーリング孔８内の所定の位置に位置決めする。
この場合、ネイリング部材１１の芯材１２の先端を、ボーリング孔８の先端との間に所定の間隙が形成される位置に位置決めし、袋体１３の先端とボーリング孔８の先端との間に所定の間隙が形成されるように構成してもよい。
【００２１】
ここで、袋体１３は、耐圧性及び伸縮性を有する材料からなる袋状をなすものであって、麻袋等のように、内部に注入したグラウト１７を表面側にある程度滲出させることができる機能を有するものが好ましい。このような機能を有する袋体１３を用いることにより、袋体１３と基礎地盤７ａとの定着を図ることができる。
なお、浸透性の高い基礎地盤７ａの場合には、非透水性を有する袋体１３を用い、グラウト１７が袋体１３の表面側に滲出するのを阻止することにより、袋体と基礎地盤７ａとの定着を図ればよい。
【００２２】
また、図１０に示すように、袋体１３の口部１４は、ゴム、合成樹脂等からなる栓部材１６によってシールされ、この栓部材１６を貫通して注入ホース１５の先端が袋体１３の内部に挿入され、注入ホース１５の後端はボーリング孔８外に引き出されている。
【００２３】
なお、袋体１３は、裏栗部分６の背面側の基礎地盤７ａに挿入された芯材１２の部分に、所定の間隔ごとに複数箇所に取り付けてもよいし、その芯材１３の部分の全体に行き渡る長さのものを取り付けてもよい。要は、基礎地盤７ａの地質、地層構造等に応じて、使用する袋体１３の数量、取付位置等を設定すればよい。
なお、本実施の形態においては、裏栗部分６の背面側の基礎地盤７ａの全体に行き渡る長さの袋体１３を取り付けている。
【００２４】
次に、図３及び図４に示すように、ボーリング孔８内から鋼管１０を橋台１の前面２側に引き抜くことにより、鋼管１０の先端を橋台１の背面３側の裏栗部分６と裏栗部分６の背面側の基礎地盤７ａとの境界部分に位置させ、橋台１の前面２から突出している鋼管１０の部分を分離し、鋼管１０を橋台１及び裏栗部分６の全体に行き渡るように配置する。
【００２５】
次に、図４に示すように、ボーリング孔８において、ネイリング部材１１の袋体１３の内部に注入ホース１５を介して固化材であるグラウト１７を加圧注入し、袋体１３を膨張変形させることにより、袋体１３をボーリング孔８の内面側（基礎地盤７ａ側）に密着させ、ネイリング部材１１の引き抜き抵抗力を高める。
なお、注入ホース１５は、グラウト１７の注入後に、ボーリング孔８内に残置させてもよいし、ボーリング孔８から引き抜いてもよい。
【００２６】
次に、図５に示すように、ボーリング孔８において、鋼管１０の内側に固化材であるグラウト１７を無加圧注入し、そのグラウト１７の一部をネイリング部材１１とボーリング孔８との間の隙間内にも回り込ませ、鋼管１０の曲げ剛性及びせん断剛性を高めるとともに、ネイリング部材１１を鋼管１０及び裏栗部分６の背面側の基礎地盤７ａに全面接着させる。
【００２７】
次に、袋体１３の内部、鋼管１０の内側、及びボーリング孔８内に注入したグラウト１７が固化した後に、図６及び図１１に示すように、橋台１の前面２側に金属、コンクリート等からなるプレート１８を配置し、プレート１８を貫通させたネイリング部材１１の芯材１２の頭部にナット１９を螺合させて締め付けることにより、芯材１２の頭部を橋台１の前面２側に定着させる。または、図１２に示すように、橋台１の前面２側に、金属、コンクリート等からなる基台２０を配置し、この基台２０の上部に金属、コンクリート等からなるプレート１８を架け渡し、このプレート１８を貫通させた芯材１２の頭部にナット１９を螺合させて締め付けることにより、芯材１２の頭部を橋台１の前面２側に定着させる。
【００２８】
この場合、必要に応じて、橋台１の前面２側にコンクリート（図示せず）を所定の厚さで打設し、このコンクリートの内部に芯材１２の頭部、プレート１８、基台２０、及びナット１９を埋設させるように構成してもよい。
【００２９】
そして、上記と同様の工程により、図７に示すように、ボーリング孔８を橋台１の高さ方向（鉛直方向）に所定の間隔ごとに複数箇所に削孔し、各ボーリング孔８内にネイリング部材１１及び鋼管１０を設置するとともに、上記と同様の工程により、図示はしないが、ボーリング孔８を橋台１の幅方向（水平方向）に所定の間隔ごとに複数箇所に削孔し、各ボーリング孔８内にネイリング部材１１及び鋼管１０を設置し、橋台１に耐震補強を施す。
【００３０】
上記のように構成した本実施の形態の構造物の耐震補強方法にあっては、橋台１及び裏栗部分６の全体に行き渡るように鋼管１０を水平に配置し、このような鋼管１０を橋台１の高さ方向（鉛直方向）及び幅方向（水平方向）に所定の間隔ごとに複数箇所に配置し、さらに、各鋼管１０の内側にグラウト１７を注入して、各鋼管１０の曲げ剛性及びせん断剛性を高めたので、これらの複数の鋼管１０によって裏栗部分６の揺すり込み沈下を防止できるとともに、複数の鋼管１０の断面積の分だけ橋台１の背面側の裏栗部分６を締め固めることができる。
【００３１】
従って、大規模な地震によって橋台１が被害を受けた場合であっても、裏栗部分６の上方の盛土体７ｂの部分、或いは、橋台１と盛土体７ｂとの境界部分に段差が生じるのを防止できるので、その部分に一つの連続した面を確保することができ、道路や鉄道等を緊急車両等の通行に支障をきたさないような状態に維持し続けることができる。
【００３２】
また、鋼管１０の基端部は橋台１に定着され、先端部は基礎地盤７ａに定着されたネイリング部材１１により支持されるので、鋼管１０は、その両端が支持されることにより片持ち状態にはならない。
従って、大規模な地震により橋台１に変位等が生じるような場合であっても、裏栗部分６の上部の盛土体７ｂの部分、或いは、橋台１と盛土体７ｂとの境界部分の連続性を保つことができるので、道路や鉄道等を緊急車両等の通行に支障をきたさないような状態に維持し続けることができる。
【００３３】
さらに、各鋼管１０の内側にネイリング部材１１を挿入し、ネイリング部材１１の鉄筋からなる芯材１２を、芯材１２に取り付けた袋体１３にグラウト１７を加圧注入して膨張変形させることにより、裏栗部分６の背面側の基礎地盤７ａに定着させるとともに、鋼管１０の内側及びボーリング孔８内に注入したグラウト１７によってネイリング部材１１を鋼管１０及び裏栗部分６の背面側の基礎地盤７ａに全面接着させているので、ネイリング部材１１の引き抜き抵抗力を高めることができる。従って、地震によって橋台１が転倒したり、滑動するのを効果的に防止しながら、裏栗部分６の上部の盛土体７ｂの部分、或いは、橋台１と盛土体７ｂとの境界部分に段差が生じるのを防止でき、盛土体７ｂの連続性を保ち続けることができる。
【００３４】
図１３には、本発明による構造物の耐震補強方法の他の実施の形態が示されている。
本実施の形態の構造物の耐震補強方法は、芯材１２に鋼管を用い、この鋼管からなる芯材１２の一部に袋体１３を取り付け、この鋼管からなる芯材１２の内側の部分を注入孔として利用して、袋体１３の内部にグラウト１７を加圧注入するとともに、鋼管からなる芯材１２の内部にもグラウト１７を注入するように構成したものであって、その他の構成は前記第１の実施の形態に示すものと同様である。
なお、芯材１２の袋体１３の内部に位置する部分に、必要に応じて、芯材１２の内外面間を貫通する複数の孔１２ａを設け、この孔１２ａと芯材１２の先端の開口とを利用して、袋体１３の内部にグラウト１７を充填するように構成してもよい。
【００３５】
この場合、袋体１３は、その口部１４を、シール部材２１を介して鋼管からなる芯材１２に気密に接合され、袋体１３の内部にグラウト１７を加圧注入する際に漏れが生じるのを防止し、袋体１３を所定の大きさに膨張変形可能に構成している。
【００３６】
そして、本実施の形態においても、前記実施の形態に示すものと同様の作用効果を奏する他、鋼管によって芯材１２を構成しており、注入ホースが不要になるので、全体の構成を簡素化することができる。
【００３７】
なお、前記各実施の形態においては、ボーリング孔８内の鋼管１０の内側にネイリング部材１１を挿入し、ネイリング部材１１の先端を、袋体１３を介して裏栗部分６の背面側の基礎地盤７ａに定着させたが、ネイリング部材１１の代わりにグラウンドアンカー（図示せず）を用い、グラウンドアンカーを鋼管１０の内側に打設し、グランドアンカーの先端を裏栗部分６の背面側の基礎地盤７ａに定着させ、グラウントアンカーに緊張力を付与した状態で、グラウンドアンカーの頭部を橋台１の前面２側に定着させるように構成してもよい。
【００３８】
また、前各実施の形態においては、本発明を、構造物である橋台１の背面側に栗石を敷き詰めた裏栗部分６を有する場合に適用したが、橋台１の背面側に栗石以外のものを敷き詰めた場合に本発明を適用してもよい。
【符号の説明】
【００３９】
１  橋台
２  前面
３  背面
４  基礎
５  杭
６  裏栗部分
７  地盤
７ａ  基礎地盤
７ｂ  盛土体
８  孔（ボーリング孔）
１０  管状補強部材（鋼管）
１１  ネイリング部材
１２  芯材
１２ａ  孔
１３  袋体
１４  口部
１５  注入ホース
１６  栓部材
１７  グラウト
１８  プレート
１９  ナット
２０  基台
２１  シール部材
２２  橋桁
２５  橋台
２６  基礎部分
２７  ストラッド
２８  グラウンドアンカー
２９  ネイリング部材
３０  裏栗部分
３１  地盤
【図１】
0005504951.tif 000002
【図２】
0005504951.tif 000003
【図３】
0005504951.tif 000004
【図４】
0005504951.tif 000005
【図５】
0005504951.tif 000006
【図６】
0005504951.tif 000007
【図７】
0005504951.tif 000008
【図８】
0005504951.tif 000009
【図９】
0005504951.tif 000010
【図１０】
0005504951.tif 000011
【図１１】
0005504951.tif 000012
【図１２】
0005504951.tif 000013
【図１３】
0005504951.tif 000014
【図１４】
0005504951.tif 000015
【図１５】
0005504951.tif 000016
【図１６】
0005504951.tif 000017
【図１７】
0005504951.tif 000018